(57)【要約】【課題】  従来のパチンコ機では、監視されていない動作電圧で動作する部品の動作電圧が低下した場合、パチンコ遊技に問題が発生してしまうことがある。【解決手段】  第１の電圧監視回路６４は、第１の電圧変換部６２からサブＣＰＵ５１、プログラムＲＯＭ５２およびワークＲＡＭ５３にそれぞれ供給される５［Ｖ］の動作電圧を監視している。また、第２の電圧監視回路６５は、第２の電圧変換部６３から払出駆動回路５５および発射駆動回路５６にそれぞれ供給される１２［Ｖ］の動作電圧を監視している。第１の電圧監視回路６４は、動作電圧が４［Ｖ］以下に低下するとリセット信号を出力し、第２の電圧監視回路６５は、動作電圧が１０［Ｖ］以下に低下するとリセット信号を出力する。各電圧監視回路６４，６５から出力されたリセット信号がサブＣＰＵ５１のリセット端子５１ａに入力されると、払出発射制御基板５０は初期化される。【選択図】  図３
2006149738.tif 000002
【特許請求の範囲】
【請求項１】
遊技処理を制御する主制御基板と、動作電圧が互いに異なる複数の部品およびこれら複数の部品に複数の前記動作電圧を供給する電圧生成手段を備え，前記主制御基板からの制御信号に従った制御処理を行う副制御基板とを備えて構成される遊技機において、
前記副制御基板は、複数の前記動作電圧の低下を監視する複数の電圧監視手段を備えていることを特徴とする遊技機。
【請求項２】
前記電圧監視手段は、前記複数の部品のいずれかに供給される動作電圧が低下すると、低下した動作電圧が供給される部品に対して行われる制御、または前記複数の部品の全てに対して行われる制御をリセットさせることを特徴とする請求項１に記載の遊技機。
【請求項３】
前記副制御基板は、遊技に用いられる遊技媒体の払い出しを制御する払出基板、遊技球の発射を制御する発射制御基板、または遊技球の払い出しおよび発射を制御する払出発射制御基板であることを特徴とする請求項１または請求項２に記載の遊技機。
【発明の詳細な説明】
【技術分野】
【０００１】
本発明は、動作電圧が互いに異なる複数の部品にそれぞれ動作電圧を供給する電圧生成手段を備えた遊技機に関するものである。
【背景技術】
【０００２】
従来、この種の遊技機としては、例えば、下記の特許文献１に開示されているパチンコ機がある。このパチンコ機では、演出制御基板に接続された電源監視回路によって、演出制御基板に供給される１２［Ｖ］の電源の電圧が監視されている。この電源の電圧が１２［Ｖ］以下になると、この電圧の低下が電源監視回路によって検知され、電圧低下検知信号がサブＭＰＵ（超小型演算処理装置）に出力される。電圧低下検知信号を入力したサブＭＰＵは、その時の遊技状態をバックアップデータとしてＲＡＭ（ランダムアクセスメモリ）に待避させて保存する。さらに、１２［Ｖ］の電源の電圧が低下して５［Ｖ］以下になると、電源監視回路は、サブＭＰＵからＲＡＭへのアクセスを遮断する。このとき、ＲＡＭは、バックアップデータを保持しながら外部からのアクセスを一切受け付けない状態となる。１２［Ｖ］の電源の電圧が復帰すると、サブＭＰＵは、ＲＡＭに保存しておいたバックアップデータを読み込んでパチンコ遊技を再開させる。
【特許文献１】特開２００４−１２１２８５号公報（段落[００２８]〜[００３２]、図３）
【発明の開示】
【発明が解決しようとする課題】
【０００３】
しかしながら、上記の特許文献１に示すような従来のパチンコ機では、１２［Ｖ］の電源の電圧といった１種類の動作電圧が電源監視回路によって監視されているだけであり、１２［Ｖ］以外の異なる他の動作電圧で動作する部品に供給される動作電圧は監視されていない。例えば、５［Ｖ］で駆動する部品の電圧は監視していない。従って、負荷の状態や電源の瞬断などにより、監視されていない異なる他の動作電圧で動作する部品の動作電圧が低下した場合、この部品に誤動作が発生する可能性がある。誤動作が発生した状態でパチンコ遊技が継続されると、パチンコ遊技に問題が発生してしまうことがある。
【課題を解決するための手段】
【０００４】
本発明はこのような課題を解決するためになされたもので、遊技処理を制御する主制御基板と、動作電圧が互いに異なる複数の部品およびこれら複数の部品に複数の動作電圧を供給する電圧生成手段を備え，主制御基板からの制御信号に従った制御処理を行う副制御基板とを備えて構成される遊技機において、副制御基板は、複数の前記動作電圧の低下を監視する複数の電圧監視手段を備えていることを特徴とする。
【０００５】
この構成によれば、副制御基板に設けられた複数の部品の動作電圧の低下が電圧監視手段によってそれぞれ監視されるようになる。このため、複数の動作電圧のいずれかが低下しても、動作電圧の低下による部品の誤動作の発生を防止することができるようになる。この結果、誤動作が発生した状態で遊技が継続されなくなって、遊技に問題が発生することはなくなる。また、電圧生成手段を副制御基板に設けているため、遊技機の各部に電源供給する電源基板は、電圧生成手段を構成する分だけ回路規模が小さくなって小型化する。このため、遊技機の筐体内における電源基板の配置は容易になる。
【０００６】
また、本発明は、電圧監視手段が、複数の部品のいずれかに供給される動作電圧が低下すると、低下した動作電圧が供給される部品に対して行われる制御、または複数の部品の全てに対して行われる制御をリセットさせることを特徴とする。
【０００７】
この構成によれば、いずれかの動作電圧が低下したことが検出されると、その低下した動作電圧が供給される部品に対して行われる制御、または複数の部品の全てに対して行われる制御がリセットされる。このため、動作電圧が低下した部品において誤動作が発生してしまっても、この部品に対する制御動作はリセットされるため、誤動作の影響が継続することはない。
【０００８】
また、本発明は、副制御基板が、遊技に用いられる遊技媒体の払い出しを制御する払出基板、遊技球の発射を制御する発射制御基板、または遊技球の払い出しおよび発射を制御する払出発射制御基板であることを特徴とする。
【０００９】
この構成によれば、払出基板、発射制御基板または払出発射制御基板に設けられた各部品に供給される複数の動作電圧が電圧監視手段によって監視される。このため、遊技媒体の払い出しや遊技球の発射の誤動作によって遊技者が不利益を被るといったことが防止される。
【発明の効果】
【００１０】
本発明による遊技機によれば、上記のように、複数の動作電圧のいずれかが低下しても、動作電圧の低下による部品の誤動作の発生を防止することができるようになる。この結果、誤動作が発生した状態で遊技が継続されなくなって、遊技に問題が発生することはなくなる。
【発明を実施するための最良の形態】
【００１１】
次に、本発明を実施するための最良の形態について説明する。
【００１２】
図１は、本実施形態によるパチンコ機１の外観を示す正面図である。パチンコ機１は、前面の中央部にパチンコ遊技が行われる透明遊技盤２を備えており、その盤面から、透明遊技盤２の背後に設けられた液晶表示装置（ＬＣＤ）３が透けて観察される。透明遊技盤２はガラス扉４で覆われており、ガラス扉４のガラス部分からは透明遊技盤２の盤面が観察される。透明遊技盤２の下方には、上部受皿５ａおよび下部受皿５ｂからなる皿ユニット５が設けられており、下部受皿５ｂの右方には発射ハンドル６が設けられている。透明遊技盤２の上方には、遊技の演出音等が放音される一対のスピーカ７，７が取り付けられており、このスピーカ７，７の間および透明遊技盤２の左右両側には、パチンコ遊技の演出を行う電飾ランプ・ＬＥＤ（発光ダイオード）８，９がそれぞれ設けられている。また、パチンコ機１の側方には、遊技媒体であるパチンコ球の貸出しを行う後述するカードユニット５７（図３参照）が設けられており、透明遊技盤２の下方には、このカードユニット５７を操作する球貸し操作パネル１０が設けられている。
【００１３】
透明遊技盤２は、略円形の遊技領域２Ａと、遊技領域２Ａ左側の下部から中央部やや上側にかけて、遊技領域２Ａに沿って設けられた略円弧状の球発射領域２Ｂとから構成されている。球発射領域２Ｂは、発射ハンドル６の操作によって発射されたパチンコ球を、遊技領域２Ａに導くための領域である。球発射領域２Ｂと遊技領域２Ａとは戻り防止部材２ａで仕切られている。この戻り防止部材２ａは、遊技領域２Ａ内のパチンコ球が球発射領域２Ｂに戻るのを防止するためのもので、弾性を有する板状体から構成されている。
【００１４】
遊技領域２Ａの中央部には、液晶表示装置３に表示された特別図柄が視認される特別図柄表示部３ａが設けられており、特別図柄表示部３ａの左右には一対の通過孔１１が設けられている。また、特別図柄表示部３ａの下部には始動入賞口１２が設けられている。発射ハンドル６の操作によって遊技領域２Ａに発射されたパチンコ球が始動入賞口１２に入賞すると、特別図柄表示部３ａに特別図柄が変動表示されて特別図柄ゲームが開始される。特別図柄表示部３ａに表示された特別図柄が所定の大当たり組み合わせで揃うと、いわゆる大当たりが発生する。また、始動入賞口１２の左右には、パチンコ球が入賞すると所定個数例えば１０個の賞球が払い出される一般入賞口１３が設けられている。賞球は上部受皿５ａに払い出されるが、上部受皿５ａが満杯のときは下部受皿５ｂに払い出される。また、始動入賞口１２の下方には、大当たり入賞が発生すると行われる大当たり遊技において扉が開閉する大入賞口（アタッカ）１４が設けられている。大入賞口１４の下方には、上記の各入賞口１２〜１４のいずれにも入賞しなかったパチンコ球が入球するアウト口１５が設けられている。
【００１５】
また、特別図柄表示部３ａの上方にはワープ入口１６が設けられている。ワープ入口１６に入球したパチンコ球は、透明遊技盤２の裏面に設けられた図示しないワープ通路を通過した後、ワープ入口１６の下方に設けられたステージ１７の中央に形成されたワープ出口から出てきて透明遊技盤２の表面に再び現れる。ワープ出口は始動入賞口１２の上方に設けられているため、ワープ入口１６に入球してワープ出口から透明遊技盤２の表面に出てきて流下するパチンコ球は、始動入賞口１２に入賞しやすくなる。
【００１６】
また、大当たり遊技は、特別図柄の大当たり組み合わせが特別図柄ゲームの終了時に停止表示してから行われ、大入賞口１４に所定個数例えば１０個のパチンコ球が入賞するまで、または、所定時間例えば３０秒が経過するまで、大入賞口１４が開放したままになる遊技が最大で例えば１５ラウンド行われる。各ラウンド中に、大入賞口１４へ入賞したパチンコ球が大入賞口１４の内部に設けられたＶゾーンと呼ばれる特定の領域に入賞すると、次のラウンドへ継続して進むことができるが、各ラウンド中にＶゾーンに入賞しなかった場合はいわゆるパンクとなり、１５ラウンド到達以前であっても、大当たり遊技はそのラウンドで打ち切られて終了となる。大当たり遊技中には、透明遊技盤２の盤面上方および側方に設けられた電飾ランプ・ＬＥＤ８，９が発光して演出が行われる。
【００１７】
図２は、パチンコ機１の背面図である。パチンコ機１の背面中央部には、パチンコ機１の遊技処理を制御する主制御回路を備えた主制御基板３０が設けられている。主制御基板３０の上方には、パチンコ遊技における種々の演出動作の制御を行う演出制御回路を備えた演出制御基板４０が設けられている。また、主制御基板３０の下方には、賞球等の払出しおよびパチンコ球の発射を制御する払出発射制御回路を備えた払出発射制御基板５０が設けられている。
【００１８】
演出制御基板４０および払出発射制御基板５０は、いずれも主制御基板３０からの制御信号に従った制御処理を行う副制御基板を構成している。また、払出発射制御基板５０には、後述するように、動作電圧が５［Ｖ］および１２［Ｖ］で互いに異なる複数の部品、およびこれら複数の部品にそれぞれ５［Ｖ］および１２［Ｖ］の動作電圧を供給する電圧生成手段６０が設けられている。
【００１９】
図３は、本実施形態によるパチンコ機１の遊技動作を処理制御する電子回路の主な構成を示すブロック図である。この電子回路は、主制御基板３０に設けられた主制御回路や、この主制御回路からの制御信号に従ってパチンコ遊技の演出を行う演出制御基板４０に設けられた演出制御回路、賞球等の払い出しやパチンコ球の発射を制御する払出発射制御基板５０に設けられた払出発射制御回路などから構成されている。
【００２０】
主制御基板３０には、メインＣＰＵ３１や初期リセット回路３２といった電子部品が実装されている。また、主制御基板３０には、メインＣＰＵ３１がパチンコ機１の遊技動作を処理制御するためのプログラムが記憶格納されたメインＲＯＭ（リードオンリメモリ）３３や、処理制御時にデータが一時的に記憶されるメインＲＡＭ（ランダムアクセスメモリ）３４も実装されている。また、初期リセット回路３２は、主制御基板３０の起動時にメインＲＡＭ３４に記憶されている遊技状態の内容を消去すると共に、メインＲＯＭ３３に記憶されているプログラムに従った遊技処理を開始させるリセット信号を発生する。また、主制御基板３０には、後述する周辺装置や各制御基板４０，５０との間で信号を授受するＩ／Ｏポート（入出力ポート）３５，３６が接続されている。
【００２１】
主制御基板３０のＩ／Ｏポート３５には、上述した通過孔１１の内側に設けられ、パチンコ球が通過孔１１を通過するのを検出する通過ゲートスイッチ１１ｓや、始動入賞口１２に入賞したパチンコ球を検出する始動入賞口スイッチ１２ｓが接続されている。また、一般入賞口１３へ入賞したパチンコ球を検出する一般入賞口スイッチ１３ｓ、大入賞口１４に入賞したパチンコ球を検出するカウントスイッチ１４ｓ、大入賞口１４内部のＶゾーンを通過したパチンコ球を検出するＶカウントスイッチ１４ｖが接続されている。また、Ｉ／Ｏポート３５には、アクチュエータとして、始動入賞口１２の球受入口を拡張する始動入賞口ソレノイド２１、大入賞口１４の扉を開閉する大入賞口ソレノイド２２、大入賞口１４内部のＶゾーンにパチンコ球が入賞した後にパチンコ球をＶゾーン以外へ誘導するシーソーソレノイド２３などが接続されている。さらに、Ｉ／Ｏポート３５には、バックアップクリアスイッチ２４が接続されている。このバックアップクリアスイッチ２４から検出信号が出力されると、メインＲＡＭ３４などにバックアップされている遊技状態の内容が消去される。
【００２２】
上記各スイッチ１１ｓ〜１４ｓ，１４ｖがパチンコ球を検出すると、その検出信号はＩ／Ｏポート３５を介して主制御基板３０のメインＣＰＵ３１に入力され、入力される検出信号に応じて、メインＣＰＵ３１は上記各アクチュエータ２１〜２３をそれぞれ駆動制御する。
【００２３】
演出制御基板４０では、液晶表示装置（ＬＣＤ）３における画像表示を行う画像制御、スピーカ７，７から効果音を放音させる音声制御、および遊技状態に応じて電飾ランプ・ＬＥＤ８，９の発光を制御するランプ制御を行う。この演出制御基板４０には、サブＣＰＵ４１、プログラムＲＯＭ４２、ワークＲＡＭ４３が実装されている。また、サブＣＰＵ４１には、Ｉ／Ｏポート４４、画像制御回路４５、ランプ制御回路４６および音声制御回路４７が接続されている。サブＣＰＵ４１は、Ｉ／Ｏポート４４を介して主制御回路から出力される制御信号に基づいて、各制御回路４５〜４７に駆動信号を出力し、各制御回路４５〜４７は、このサブＣＰＵ４１からの駆動信号に基づいて液晶表示装置３や、スピーカ７，７、電飾ＬＥＤ８，９をそれぞれ駆動制御する。プログラムＲＯＭ４２には、サブＣＰＵ４１が上記各制御回路４５〜４７を処理制御するための制御プログラムが記憶格納されている。また、ワークＲＡＭ４３には、サブＣＰＵ４１が上記制御プログラムに従って処理制御を行う際の処理データが一時的に記憶される。
【００２４】
メインＣＰＵ３１は、始動入賞口１２へパチンコ球が入賞して始動入賞が発生すると大当たり判定を行う。演出制御回路は、この大当たり判定の結果に対応する態様で液晶表示装置３に特別図柄を順次停止表示させ、左図柄と右図柄とが同一図柄で揃って停止表示されるリーチ状態になると、液晶表示装置３に特別図柄および演出画を用いてリーチ演出を行う。
【００２５】
払出発射制御基板５０には、サブＣＰＵ５１、プログラムＲＯＭ５２、ワークＲＡＭ５３が実装されている。これらサブＣＰＵ５１、プログラムＲＯＭ５２およびワークＲＡＭ５３などは、いずれも５［Ｖ］の動作電圧で動作する電子部品であり、動作電圧が４［Ｖ］以下の誤動作発生レベルに低下すると正常に動作しなくなる。また、サブＣＰＵ５１には、Ｉ／Ｏポート５４、払出駆動回路５５および発射駆動回路５６が接続されている。払出駆動回路５５および発射駆動回路５６は、いずれも１２［Ｖ］の動作電圧で動作する電子部品であり、動作電圧が１０［Ｖ］以下の誤動作発生レベルに低下すると正常に動作しなくなる。これらの各駆動回路５５，５６には、賞球などを払い出す払出装置５８、発射ハンドル６の操作に応じて駆動される発射装置５９がそれぞれ接続されている。サブＣＰＵ５１は、Ｉ／Ｏポート５４を介して主制御回路から出力される制御信号に基づいて、払出駆動回路５５や発射駆動回路５６に駆動信号を出力し、各駆動回路５５，５６は、このサブＣＰＵ５１からの駆動信号に基づいて賞球などの払い出しやパチンコ球の発射制御を行う。また、Ｉ／Ｏポート５４には、前述したカードユニット５７が接続されている。このカードユニット５７にカードが挿入された状態で球貸し操作パネル１０が操作されると、サブＣＰＵ５１から払出駆動回路５５に駆動信号が出力され、所定数のパチンコ球が貸出球として上部受皿５ａに払い出される。プログラムＲＯＭ５２には、サブＣＰＵ５１が上記各駆動回路５５，５６を処理制御するための制御プログラムが記憶格納されている。また、ワークＲＡＭ５３には、サブＣＰＵ５１が上記制御プログラムに従って処理制御を行う際の処理データが一時的に記憶される。
【００２６】
また、払出発射制御基板５０には、上記のサブＣＰＵ５１、プログラムＲＯＭ５２、ワークＲＡＭ５３、払出駆動回路５５および発射駆動回路５６にそれぞれ動作電圧を供給する前述した電圧生成手段６０が設けられている。電圧生成手段６０は、電圧生成回路６１、第１の電圧変換部６２、第２の電圧変換部６３、第１の電圧監視回路６４および第２の電圧監視回路６５から構成されている。この電圧生成手段６０は、図示していないが、主制御基板３０および演出制御基板４０にもそれぞれ電圧を供給している。
【００２７】
第１の電圧変換部６２は、電圧生成回路６１から供給される３３［Ｖ］の電圧を５［Ｖ］の電圧に変換し、この５［Ｖ］の電圧を電源線６２ａを介してサブＣＰＵ５１、プログラムＲＯＭ５２およびワークＲＡＭ５３に供給している。第２の電圧変換部６３は、電圧生成回路６１から供給される３３［Ｖ］の電圧を１２［Ｖ］の電圧に変換し、この１２［Ｖ］の電圧を電源線６３ａを介して払出駆動回路５５および発射駆動回路５６に供給している。また、第１の電圧変換部６２には第１の電圧監視回路６４が接続されており、第２の電圧変換部６３には第２の電圧監視回路６５が接続されている。
【００２８】
第１の電圧監視回路６４は、第１の電圧変換部６２からサブＣＰＵ５１、プログラムＲＯＭ５２およびワークＲＡＭ５３にそれぞれ供給される５［Ｖ］の動作電圧を監視している。この第１の電圧監視回路６４は、５［Ｖ］の動作電圧が電断監視レベルである４［Ｖ］以下に低下すると、サブＣＰＵ５１のリセット端子５１ａへリセット信号を出力する。また、第２の電圧監視回路６５は、第２の電圧変換部６３から払出駆動回路５５および発射駆動回路５６にそれぞれ供給される１２［Ｖ］の動作電圧を監視している。この第２の電圧監視回路６５は、１２［Ｖ］の動作電圧が電断監視レベルである１０［Ｖ］以下に低下すると、第１の電圧監視回路６４と同様に、サブＣＰＵ５１のリセット端子５１ａへリセット信号を出力する。第１の電圧監視回路６４および第２の電圧監視回路６５は、いずれも、５［Ｖ］または１２［Ｖ］の動作電圧の低下を監視する電圧監視手段を構成している。本実施形態では、第１の電圧監視回路６４および第２の電圧監視回路６５のいずれにも電圧検出システムリセットＩＣ（高集積化回路）を使用しており、各電圧変換部６２，６３が供給する動作電圧が電断監視レベル以下に低下したときにリセット信号が出力されるように回路が構成されている。
【００２９】
上記の構成において、図４（ａ）に示すように、第１の電圧変換部６２から供給される５［Ｖ］の動作電圧が、時刻ｔ１から時刻ｔ２の間で４［Ｖ］以下に低下した場合、同図（ｂ）に示すように、第１の電圧監視回路６４からリセット信号が出力される。また、同図（ｃ）に示すように、第２の電圧変換部６３から供給される１２［Ｖ］の動作電圧が、時刻ｔ３から時刻ｔ４の間で１０［Ｖ］以下に低下した場合、同図（ｄ）に示すように、第２の電圧監視回路６５からリセット信号が出力される。このように各電圧監視回路６４，６５からリセット信号が出力されたとき、サブＣＰＵ５１のリセット端子５１ａには、同図（ｅ）に示すようなリセット信号が入力される。
【００３０】
図５は、第１の電圧変換部６２からサブＣＰＵ５１やプログラムＲＯＭ５２、ワークＲＡＭ５３に供給される５［Ｖ］の動作電圧が図４（ａ）に示すように低下した際に、払出発射制御基板５０で行なわれるリセット処理を示すフローチャートである。
【００３１】
払出発射制御基板５０に設けられた第１の電圧監視回路６４は、第１の電圧変換部６２から供給される５［Ｖ］の動作電圧が４［Ｖ］以下に低下しているか否かを、常に監視している（図４，ステップ（以下Ｓと記す）１０１参照）。このＳ１０１の判別が“Ｙｅｓ”、すなわち第１の電圧変換部６２から供給される動作電圧が図４（ａ）の時刻ｔ１から時刻ｔ２に示すように４［Ｖ］以下に低下すると、第１の電圧監視回路６４は図４（ｂ）に示すようにリセット信号を出力し（Ｓ１０２）、このリセット信号がサブＣＰＵ５１のリセット端子５１ａに入力される（Ｓ１０３）。リセット信号がサブＣＰＵ５１のリセット端子５１ａに入力されると、サブＣＰＵ５１は、サブＣＰＵ５１内のレジスタに格納されている遊技情報フラグなどの遊技に関する情報を、バックアップ機能を有するＲＡＭ５３に待避させる（Ｓ１０４）。そして、サブＣＰＵ５１内の専用レジスタであるプログラムカウンタにリセットアドレスがセットされ（Ｓ１０５）、サブＣＰＵ５１はセットされたリセットアドレスに格納されている命令に従った初期化処理を行ない、払出発射制御基板５０を初期化する。その後、サブＣＰＵ５１は待避させておいた情報を元の状態に復帰し、処理を続行する。
【００３２】
各駆動回路５５，５６に供給される１２［Ｖ］の動作電圧が低下した場合も、上記の処理と同様な処理が行なわれて、払出発射制御基板５０が初期化される。
【００３３】
このような本実施形態によるパチンコ機１によれば、払出発射制御基板５０に設けられたサブＣＰＵ５１、プログラムＲＯＭ５２およびワークＲＡＭ５３に供給される５［Ｖ］の動作電圧や、各駆動回路５５，５６に供給される１２［Ｖ］の動作電圧の低下が、第１の電圧監視回路６４および第２の電圧監視回路６５によってそれぞれ監視されるようになる。このため、５［Ｖ］や１２［Ｖ］の動作電圧のいずれが低下しても、この動作電圧の低下による部品の誤動作の発生を防止することができるようになる。この結果、誤動作が発生した状態でパチンコ遊技が継続されなくなって、パチンコ遊技に問題が発生することはなくなる。
【００３４】
例えば、従来のパチンコ機では、図６（ａ）に示すように、１２［Ｖ］の動作電圧で動作する部品の動作電圧は、電断監視レベルまで低下したか否かが電圧監視回路によって監視されているが、図６（ｂ）に示すように、５［Ｖ］の動作電圧で動作する部品の動作電圧は監視されていない。このため、５［Ｖ］の動作電圧で動作する部品の動作電圧が図示するように誤動作発生レベルまで低下しても、１２［Ｖ］の動作電圧で動作する部品の動作電圧が図示するように電断監視レベルまで低下していなければ、払出発射制御基板５０は初期化されることはない。この結果、従来のパチンコ機では、５［Ｖ］の動作電圧で動作する部品が誤動作すると、この部品の誤動作は放置されたままであった。しかしながら、本実施形態では、５［Ｖ］の動作電圧で動作する部品の動作電圧も同図（ｃ）に示すように電圧監視回路６４によって監視されているため、いずれかの動作電圧が電断監視レベル以下まで低下すると、払出発射制御基板５０が初期化されて、誤動作の発生を防止することができるようになっている。
【００３５】
また、電圧生成手段６０を払出発射制御基板５０に設けているため、パチンコ機１の各部に電源供給する電源基板は、電圧生成手段６０を構成する分だけ回路規模が小さくなって小型化する。このため、パチンコ機１の筐体内における電源基板の配置は容易になる。
【００３６】
また、本実施形態では、払出発射制御基板５０に設けられたサブＣＰＵ５１などに供給される５［Ｖ］の動作電圧や、各駆動回路５５，５６に供給される１２［Ｖ］の動作電圧が低下したことが検出されると、サブＣＰＵ５１がリセットされて、５［Ｖ］または１２［Ｖ］の動作電圧で動作する複数の部品の全てに対して行われる制御が初期化される。このため、動作電圧が低下した部品において誤動作が発生してしまっても、この部品に対する制御動作はリセットされるため、誤動作の影響が継続することはない。
【００３７】
また、本実施形態では、払出発射制御基板５０に設けられた各部品に供給される５［Ｖ］や１２［Ｖ］といった複数の動作電圧が、第１の電圧監視回路６４および第２の電圧監視回路６５によって監視される。このため、パチンコ球の払い出しや発射の誤動作によって遊技者が不利益を被るといったことが防止される。
【００３８】
なお、上記の実施形態では、５［Ｖ］および１２［Ｖ］の動作電圧を各電圧監視回路６４，６５で監視している場合を説明したが、本発明はこれに限られるものではない。例えば、５［Ｖ］および３３［Ｖ］の各動作電圧、または１２［Ｖ］および３３［Ｖ］の各動作電圧、または５［Ｖ］、１２［Ｖ］および３３［Ｖ］の各動作電圧などをそれぞれ電圧監視回路で監視する構成であっても構わない。
【００３９】
また、上記の実施形態では、パチンコ機１がパチンコ球の払い出しおよび発射の両方を制御する払出発射制御基板５０を備え、この払出発射制御基板５０に電圧生成手段６０が設けられている場合を説明したが、本発明はこれに限られるものではない。パチンコ球の払い出しを制御する払出基板とパチンコ球の発射を制御する発射制御基板をそれぞれ備え、これらのいずれかの基板に電圧生成手段６０が設けられた構成であっても構わない。また、電圧生成手段６０は、演出制御基板４０に設けられていても構わない。
【００４０】
また、上記の実施形態では、払出発射制御基板５０に設けられた複数の部品のいずれかの動作電圧が低下したことが検出されると、サブＣＰＵ５１をリセットすることで複数の部品の全てに対して行なわれる制御をリセットする場合を説明したが、本発明はこれに限られるものではない。複数の部品のいずれかの動作電圧が低下した場合に、この動作電圧が低下した部品に対して行なわれる制御だけをリセットする構成であっても構わない。
【００４１】
また、上記の実施形態では、ハイアクティブのリセット信号（図４（ｂ），（ｄ）参照）を出力する電圧監視回路６４，６５を用いた場合を説明したが、ローアクティブのリセット信号を出力する電圧監視回路を用いても構わない。
【００４２】
上記のいずれの構成においても、上記の実施形態と同様の作用効果が奏される。
【産業上の利用可能性】
【００４３】
上記の実施形態では、パチンコ機における複数の部品の動作電圧を監視する場合を説明したが、主制御基板からの制御信号に従った制御処理を行う副制御基板に電圧生成手段が設けられたスロットマシンなどの他の遊技機に本発明を適用することも可能である。この場合においても、上記の実施形態と同様の作用効果が奏される。
【図面の簡単な説明】
【００４４】
【図１】本発明の一実施形態によるパチンコ機の外観を示す正面図である。
【図２】図１に示すパチンコ機の背面図である。
【図３】図１に示すパチンコ機の遊技動作を処理制御する電子回路の主な構成を示すブロック図である。
【図４】図１に示すパチンコ機の各電圧監視回路から出力されるリセット信号の出力タイミングを示す図である。
【図５】図１に示すパチンコ機の払出発射制御基板に設けられた部品の動作電圧が低下した際に行われるリセット処理を示すフローチャートである。
【図６】従来のパチンコ機および図１に示すパチンコ機の払出発射制御基板に設けられた部品の動作電圧の低下状態を示す図である。
【符号の説明】
【００４５】
１…パチンコ機
３０…主制御基板
４０…演出制御基板
５０…払出発射制御基板
５１…サブＣＰＵ
５１ａ…リセット端子
５２…プログラムＲＯＭ
５３…ワークＲＡＭ
５５…払出駆動回路
５６…発射駆動回路
５８…払出装置
５９…発射装置
６０…電圧生成手段
６１…電圧生成回路
６２…第１の電圧変換部
６２ａ，６３ａ…電源線
６３…第２の電圧変換部
６４…第１の電圧監視回路
６５…第２の電圧監視回路
【図１】
2006149738.tif 000003
【図２】
2006149738.tif 000004
【図３】
2006149738.tif 000005
【図４】
2006149738.tif 000006
【図５】
2006149738.tif 000007
【図６】
2006149738.tif 000008